Podtech/llm-jp-corpus-v4-ja_patent huggingface dataset:
(57)【要約】      （修正有）【課題】トランクルームのドアを人の手や体の侵入を防ぎ、十分な空気の流動を可能とする防犯上安全な開放状態を一定に保持する自動車ドアロック用フックを提供する。【解決手段】車両ドア１の端部のトランクロック本体２に、スリット１２に本考案自動車ドアロック用フック１１のロック誘発部分が挟まれ、ロック９にフック部分５がかかることによりトランクルームのドアの開放状態を一定に保持可能な状態となる。【選択図】図２
0003186075.tif 000002
【実用新案登録請求の範囲】
【請求項１】
本体を構成し防犯上車両室内への人の手や体の侵入を防ぐ長さを有するバー部分と、このバー部分の一端に形成され、車両のドアに既存のラッチロック誘発部分であるＵ字状金具に通すことで前記ドアに取り付けることの出来るフック形状部分と、前記バー部分の他端に形成され、車両のドアに既存のラッチロック誘発部分であるＵ字状金具と類似のＵ字形状部分と、を備えている事を特徴とする自動車ドアロック用フック。
【請求項２】
車両のトランクルームのドアのロック作動装置部分に車両本体ラッチロックと類似のＵ字形状部分を押し込むことによりロックを誘発し、当該のロックが作動することで自身がロックに保持若しくは架かり容易に取り付けが可能となる特徴を持った請求項１記載の自動車ドアロック用フック。
【請求項３】
請求項２に記した特徴を持った自動車ドアロック用フックであり、車両のドアに既存のラッチロック誘発部分であるＵ字状金具に脱落を防止するのにラッチロック誘発部分であるＵ字状金具より長いＵ字状部分を有する自動車ドアロック用フック。
【考案の詳細な説明】
【技術分野】
【０００１】  この発明は、一般車両及び作業用車両のトランクルームのドアのロック部分を利用し、トランクルームのドアの防犯上安全な開放状態を一定に保持するための自動車ドアロック用フックである。
【背景技術】
【０００２】トランクルームのドアは開放状態ではロックされず車両室内への人の手や体または空気の出入りが可能であり、閉鎖状態でロックされたトランクルームのドアは車両本体との防犯上安全な距離を一定に保持することは物理的に出来ない問題があった。
【先行技術文献】
【実用新案登録文献】
【０００３】
【実用新案登録文献１】
出願番号２００７−６５１４（Ｕ２００７−６５１４）
実用新案登録第３１３７５３０号（Ｕ３１３７５３０）
［考案の名称］トランクロック誘発式フック器具
［図１］先行技術のトランクロック誘発式フック器具を取り付けた状態を示す斜視図である。
インターネットサイトのアドレス
ｈｔｔｐ：／／ｗｗｗ１３．ｐｌａｌａ．ｏｒ．ｊｐ／ｙａｍａｎａｋａｓａｎｎｇｙｏｕ／ＮｅｗＦｉｌｅｓ／ｌｏｃｋｈｏｏｋ．ｈｔｍｌ
【考案の概要】
【考案が解決しようとする課題】
【０００４】トランクルームのドアは閉鎖状態でロックされる構造の為、車両室内への人の手や体または空気の出入りを制限し防犯上安全に適しているが、密閉された車内はエンジン動作時のエアコンまたは窓の開放以外で空気の流入もなく十分な空気の流動が得られていないので車両室内の温度の上昇の要因となっている。そこで、この考案は、トランクルームのドアを人の手や体の侵入を防ぎ、十分な空気の流動を可能とする防犯上安全な開放状態を一定に保持する自動車ドアロック用フックを提供することを課題とする。
【課題を解決するための手段】
【０００５】以上の課題を解決するために、第一考案は、防犯上、人の手や体の侵入が不可能なトランクルームのドアの距離の一定に保持することを全長とする自動車ドアロック用フックである。
また、第二考案は、車体側のロックと同形状の一部に持たせた自動車ドアロック用フックである。また、第三考案はトランクルームのドアのロック作動時に車体側のロックから脱落しない長さを有するＵ字形状の自動車ドアロック用フックである。
【考案の効果】
【０００６】第一考案、または第二考案または第三考案によれば、トランクルームのドア本来のロック作動を利用し本考案の自動車ドアロック用フックをトランクルームのドアのロック作動装置部分に押し込みロックを誘発させトランクルームのドアが開放状態にもかかわらず閉鎖状態、つまりロックした状態で人の手や体の侵入が不可能なトランクルームのドアの距離を一定に保持することで人の侵入を防ぎ、防犯上安全かつ効率的に空気の流入を促すことで車両室内の温度上昇を抑制することができる。
【図面の簡単な説明】
【０００７】
【図１】先行技術のトランクロック誘発式フック器具を取り付けた状態を示す斜視図である。
【図２】この考案の一実施形態を示す斜視図である。
【図３】本考案を示す斜視図である。
【図４】本考案の一実施形態を車両本体も含めた構図で示す斜視図である。
【考案を実施するための形態】
【０００８】  この考案の一実施形態の詳細を図２に示す。
本考案を、図３に示す。
この考案の一実施形態を、図４に示す。
以下、本考案の実施形態を図面を参照しながら説明する。
【０００９】  図２において、本来は車両ドア１の端部にトランクロック本体２が設置されており、スリット１２に車両本体７にラッチ８のロック９が押し込まれロック金具３ではさまれる事でトランクルームのドアは閉鎖状態でロックされる構造となる。当該の図２は本考案自動車ドアロック用フック１１の図３におけるロック誘発部分１０がロック９と同様に挟まれ、ロック９にフック部分５がかかることによりトランクルームのドアの防犯上安全な開放状態で一定に保持することとなる。図２は本考案である自動車ドアロック用フック１１を取り付けた状態の斜視図とする。図３は当該の本考案を示した斜視図とする。図４は当該の本考案を取り付けた状態を車両本体も含めた構図で示す斜視図とする。
【００１０】「実施形態の効果」
この実施形態によれば、ロック誘発部分１０がロック９と同形状でスリット１２に押し込まれロック金具３がはさまれる事でロックされる構造となる。
【００１１】この実施形態によれば、ロック９にラッチロック誘発部分６全長より長いＵ字形フック部分５が架かることにより車体側のロック９から脱落しない構造となる。
【００１２】この実施形態によれば、防犯上車両室内への人の手や体の侵入を防ぐ長さを有するバー部分４によりトランクルームのドアの開放状態を一定に保持し、人体の侵入を防ぎ、防犯上安全かつ効率的に空気の流入を促すことができる状態となる。
【符号の説明】
【００１３】１    車両バックドアまたはトランク
２    トランクロック本体
３    ロック金具
４    バー部分
５    フック部分
６    ラッチロック誘発部分
７    車両本体
８    ラッチ
９    ロック
１０  ロック誘発部分
１１  自動車ドアロック用フック
１２  スリット
１３  先行技術のトランクロック誘発式フック器具
【図１】
0003186075.tif 000003
【図２】
0003186075.tif 000004
【図３】
0003186075.tif 000005
【図４】
0003186075.tif 000006
(57)【要約】      （修正有）【課題】半身麻痺や怪我により片手は使えるものの、介護用ベッドまたは医療用ベッドから起き上がれない人は、ベッド横のテーブル等に置いてある飲み物を、自ら手に取って飲むことは困難である。そこで、ベッド用サイドレールの構造、形状に係わらず、容易に取付け及び取り外しが可能であり、設置したペットボトルのキャップを片手で開閉が出来るドリンクホルダーを提供する。【解決手段】飲料容器を差し込むポリプロピレン製のカップ部分１と取付部分の金属製強力クリップ２を結合し、強力クリップのバネ弾性でレールを挟むことにより、ベッド用サイドレールに本体を支持することを特徴とし、また、カップ部分の内側にポリウレタン又はシリコン製の滑り止めシートを設けたことを特徴とする。【選択図】図１
0003186065.tif 000002
【実用新案登録請求の範囲】
【請求項１】
取付部分が強力クリップになっており、ベッド用サイドレールの構造、形状に係わらず容易に取付け及び取り外しが可能なドリンクホルダー。
【請求項２】
カップ部分の内側に滑り止めシートを設け、ペットボトルのキャップを片手で開閉が可能な請求項１記載のドリンクホルダー。
【考案の詳細な説明】
【技術分野】
【０００１】
本考案は、ベッドの各種サイドレールに容易に取付け及び取り外しが可能であり、片手でペットボトルのキャップの開閉が出来るドリンクホルダーに関するものである。
【背景技術】
【０００２】
半身麻痺や怪我により片手は使えるものの、介護用ベッドまたは医療用ベッドから起き上がれない人は、ベッド横のテーブル等に置いてある飲み物を、自ら手に取って飲むことは困難である。
【０００３】
従来は特許文献１のような専用のドリンクホルダーを用いる事が知られている。
【先行技術文献】
【特許文献】
【０００４】
【特許文献１】実登３１５１７３１
【考案の概要】
【考案が解決しようとする課題】
【０００５】
しかしながら、特許文献１のような従来例ではベッド用サイドレールのレールの形状によっては取付状態が不安定であり、横方向のレールには取付けが出来るが、縦方向のレールには取付けが不可能という不都合が生じていた。
【０００６】
更に従来例ではペットボトルを設置して飲む場合に、片手ではキャップを開閉出来ないという不都合も生じていた。
【０００７】
本考案はベッド用サイドレールの構造及び形状に係わらず、任意の位置に容易に取付け及び取り外しが可能であり、片手でペットボトルのキャップの開閉が出来るドリンクホルダーの提供を目的とする。
【課題を解決するための手段】
【０００８】
以上の課題を解決するために、第一考案は取付部分が強力クリップとなっている事を特徴としたドリンクホルダーである。
【０００９】
第二考案は、カップ部分の内側にペットボトル用の滑り止めシートを設けた事を特徴とするドリンクホルダーである。
【考案の効果】
【００１０】
第一考案により、ベッド用サイドレールの構造及び形状に係わらず、任意の位置に容易に取付け及び取り外しが可能である。
【００１１】
第二考案により、ペットボトルを設置した際に、ペットボトルを下方に押さえ付ける事により、片手でキャップの開閉が可能である。
【図面の簡単な説明】
【００１２】
【図１】本考案品本体を示す正面図である。
【図２】本考案品本体を示す背面図である。
【図３】本考案品本体を示す側面図である。
【図４】本考案品本体を示す平面図である。
【図５】本考案の一実施形態を示す斜視図である。
【図６】本考案の一実施形態を示す斜視図である。
【考案を実施するための形態】
【００１３】
本考案を実施するための形態を、図１及び図４に示す。
【００１４】
ドリンクホルダーのカップ１はポリプロピレン製で、コップのような逆円錐台の形状をしており、底面円は約７ｃｍの直径で、市販の３５０ｍｌから５００ｍｌのペットボトルが丁度収まる大きさである。
【００１５】
カップ１の内側下半分にはポリウレタン製シートの滑り止め４が４枚貼り付けある。この滑り止め４はシリコン製でも機能は果たし、その大きさとカップ１の形状によっては２枚から３枚でも可能である。
【００１６】
カップ１には同じ素材の直方体の連結部５が付帯しており、この内部の穴を通してボルト６と蝶ナット７により、金属製の強力クリップ２が結合している。尚、カップ１と強力クリップ２は可動であり、任意の角度に調整が可能である。
【００１７】
強力クリップ２はベッド用サイドレールを挟んだ際に、５００ｍｌのペットボトル飲料を差し込んでも動かない程度のバネの強度があり、先端部にはベッド用サイドレールに密着するよう、ゴム３が２個取り付けてある。
【実施例】
【００１８】
図５は横方向のベッド用サイドレールに取り付けた場合の実施例である。
【００１９】
サイドレール９を強力クリップ２で挟み、ペットボトル８をカップ１に差し込んだ状態である。
【００２０】
図６は縦方向のベッド用サイドレールに取り付けた場合の実施例である。
【００２１】
サイドレール１０を強力クリップ２で挟み、ペットボトル８をカップ１に差し込んだ状態である。
【符号の説明】
【００２２】
１  カップ
２  強力クリップ
３  ゴム
４  滑り止め
５  連結部
６  ボルト
７  蝶ナット
８  ペットボトル
９  サイドレール
１０  サイドレール
【図１】
0003186065.tif 000003
【図２】
0003186065.tif 000004
【図３】
0003186065.tif 000005
【図４】
0003186065.tif 000006
【図５】
0003186065.tif 000007
【図６】
0003186065.tif 000008
【手続補正書】
【提出日】平成25年7月23日(2013.7.23)
【手続補正１】
【補正対象書類名】実用新案登録請求の範囲
【補正対象項目名】全文
【補正方法】変更
【補正の内容】
【実用新案登録請求の範囲】
【請求項１】
飲料容器を差し込むポリプロピレン製のカップ部分１と取付部分の金属製強力クリップ２を結合し、強力クリップのバネ弾性でレールを挟むことにより、ベッド用サイドレールに本体を支持することを特徴とするドリンクホルダー。
【請求項２】
カップ部分の内側にポリウレタン又はシリコン製の滑り止めシートを設けたことを特徴とする請求項１記載のドリンクホルダー。
(57)【要約】      （修正有）【課題】スピーカーの負荷変動に影響されず、入力電圧に比例した電力を伝えるオーディオ・パワーアンプを提供する。【解決手段】アンプのフィードバック・ループにスピーカーＲｚやヘッドホンを配置し、アンプ出力にセンシング抵抗Ｒｄを接続した構造、あるいはアンプのフィードバック・ループにセンシング抵抗を配置し、アンプ出力にスピーカーやヘッドホンを接続した構造である。周波数によるインピーダンス変動の影響を低減して入力電圧に比例した電力でスピーカーやヘッドホンを駆動する。【選択図】図１
0003186067.tif 000002
【実用新案登録請求の範囲】
【請求項１】
直接的あるいは間接的にアンプのフィードバック・ループにスピーカーやヘッドホンを構成し、周波数によるインピーダンス変動の影響を低減して入力電圧に比例した出力電力をスピーカーやヘッドホンに供給することを特徴とするパワーアンプ
【考案の詳細な説明】
【技術分野】
【０００１】
本考案はスピーカーの負荷変動に影響されず、入力電圧に比例した電力を伝えるオーディオ・パワーアンプに関するものである。
【背景技術】
【０００２】
ボイス・コイルを搭載したスピーカーは、ダンパーやエッジや空気からの押し返しにより、周波数によってインピーダンスが変動する。たとえば公称インピーダンス８Ωのスピーカーは低音共振周波数でインピーダンスが32Ωにもなる。
このため電圧駆動方式のパワーアンプはスピーカーのインピーダンス変動の影響をうけ、周波数によってスピーカーに入力電圧に比例した電力が伝わらなかった。電圧駆動方式パワーアンプの出力電力はインピーダンスに反比例する。正しい電力が伝わらないため、正しい音量が出力されない。周波数によって音量が変動する。
【考案の概要】
【考案が解決しようとする課題】
【０００３】
解決しようとする問題は周波数によってスピーカーのインピーダンスが変動するため、電圧駆動方式のパワーアンプでは入力電圧に比例した電力がスピーカーに伝わらない点である。
【課題を解決するための手段】
【０００４】
スピーカーやヘッドホンをアンプのフィードバック・ループに含める構成とし、スピーカーのインピーダンス変動に影響されず、入力電圧に比例した電力をスピーカーやヘッドホンに伝えることで問題を解決する。
【考案の効果】
【０００５】
入力電圧に比例した電力がパワーアンプからスピーカーに伝わり、入力電圧に比例した音量がスピーカーから出力される。
【図面の簡単な説明】
【０００６】
【図１】簡易方式を解説した図である。
【図２】スピーカーの電力変動[dB]を示した図である。
【図３】出力グランド共通方式を解説した図である。
【考案を実施するための形態】
【０００７】
出力グラントの独立した簡易方式とグランドを共通化した方式で実現した。
【実施例】
【０００８】
図１は本考案の簡易的な実施例である。直接的にアンプのフィードバック・ループにスピーカーを構成した例である。並列に接続されているスピーカーRzと保護抵抗Rpに対しての定電流回路(電流I)である。スピーカーに並列接続されている保護抵抗Rpで電流の一部を逃がすことにより、スピーカーを電力駆動する。
数１はこの回路でスピーカーの電力Pzを示す式である。スピーカーの公称インピーダンスに応じてセンシング抵抗Rdと保護抵抗Rpを適切に設定することにより、スピーカーのインピーダンス変動を抑えられ、スピーカーを電力駆動する。たとえば保護抵抗値を公称インピーダンスの２倍の抵抗値とする。図２は数１の計算結果例であり、入力電圧固定でスピーカーのインピーダンスが８Ωから３２Ωに変動したとき、スピーカーの電力変動が１ｄＢ以内に抑えられる。これによりスピーカーのインピーダンスが変動しても入力電圧に比例した電力をスピーカーに伝えることができる。
【数１】
0003186067.tif 000003
【０００９】
図３は出力グランドを共通にした実施例である。間接的にアンプのフィードバック・ループにスピーカーを構成した例である。ヘッドホンやイヤホンなど左右共通グランド端子の場合に利用する。スピーカーの公称インピーダンスに応じてセンシング抵抗Rdとフードバック抵抗Rgを適切に設定することによりスピーカーを電力駆動する。たとえばRf=RsのときRgをRfの1.2倍に設定すると電力駆動となる。スピーカーの電力特性は図２と同様な結果を得られる。
【産業上の利用可能性】
【００１０】
本考案のパワーアンプはスピーカーのインピーダンスの影響を吸収するため、どのようなスピーカーとも組み合わせて使用できる。
【００１１】
電圧駆動方式のパワーアンプと本考案のパワーアンプの違いはわずかであり、移行が容易である。
【符号の説明】
【００１２】
U1=アンプIC
Vin=入力電圧
SP=スピーカー
C=コンデンサ
Rd=センシング抵抗
Rg=フィードバック抵抗
Rx=抵抗
【図１】
0003186067.tif 000004
【図２】
0003186067.tif 000005
【図３】
0003186067.tif 000006
【手続補正書】
【提出日】平成25年7月24日(2013.7.24)
【手続補正１】
【補正対象書類名】実用新案登録請求の範囲
【補正対象項目名】請求項１
【補正方法】変更
【補正の内容】
【請求項１】
アンプのフィードバック・ループにスピーカーやヘッドホンを配置し、アンプ出力にセンシング抵抗を接続した構造、あるいはアンプのフィードバック・ループにセンシング抵抗を配置し、アンプ出力にスピーカーやヘッドホンを接続した構造で、周波数によるインピーダンス変動の影響を低減して入力電圧に比例した出力電力をスピーカーやヘッドホンに供給することを特徴とするパワーアンプ
(57)【要約】      （修正有）【課題】縦軸と本体とを堅固に結合して外れることを防ぐキャスタ本体構造を提供する。【解決手段】キャスタ本体構造は、本体３及び縦軸４を備える。縦軸４の底端には、ストッパ縁４０が設けられる。本体３は、一体射出成形され、縦軸４を介して角座と結合される。本体３の中心部には、縦軸４が挿通される縦軸孔３０が形成される。縦軸孔３０の下端には、収納空間３１が形成され、縦軸孔３０と収納空間３１とが連通する。縦軸４が本体３の縦軸孔３０に挿設されると、縦軸４の末端に形成されたストッパ縁４０が本体３の収納空間３１内に位置拘束される。縦軸４と本体３とが結合されると、縦軸４のストッパ縁４０の上縁面４０１が本体３の縦軸孔３０の底縁に当接されて縦軸４が係止され、外れることを防ぐ。【選択図】図４
0003186924.tif 000002
【実用新案登録請求の範囲】
【請求項１】
本体及び縦軸を備えたキャスタ本体構造であって、
前記縦軸の底端には、ストッパ縁が設けられ、
前記本体は、一体射出成形され、前記縦軸を介して角座と結合され、
前記本体の中心部には、前記縦軸が挿通される縦軸孔が形成され、
前記縦軸孔の下端には、収納空間が形成され、前記縦軸孔と前記収納空間とが連通し、
前記縦軸が前記本体の前記縦軸孔に挿設されると、前記縦軸の末端に形成された前記ストッパ縁が前記本体の前記収納空間内に位置拘束されることを特徴とするキャスタ本体構造。
【請求項２】
前記縦軸と前記本体とが結合されると、前記縦軸の前記ストッパ縁の上縁面が前記本体の前記縦軸孔の底縁に当接されて前記縦軸が前記本体の前記縦軸孔の底縁により係止され、外れることを防ぐことを特徴とする請求項１に記載のキャスタ本体構造。
【考案の詳細な説明】
【技術分野】
【０００１】
本考案は、キャスタ本体構造に関し、特に、縦軸と本体とを堅固に結合して外れることを防ぐキャスタ本体構造に関する。
【背景技術】
【０００２】
図１に示すように、従来のキャスタ本体１は、一体射出成形され、中心部に縦軸槽１０を有する。縦軸槽１０は、下部の適宜な箇所に形成された環状凸縁１０１を有する。本体１の縦軸槽１０には、縦軸２が内設され、縦軸槽１０の環状凸縁１０１へ縦軸２の環溝２０を係合させて縦軸２と本体１とを結合させる。しかし、本体１へ縦軸２を結合させる方式に、縦軸槽１０の環状凸縁１０１へ縦軸２の環溝２０を係合させる方式が採用されていたため、長期間使用すると縦軸２が外れてキャスタが損壊する虞があった。
【考案の概要】
【考案が解決しようとする課題】
【０００３】
本考案の目的は、縦軸と本体とを堅固に結合して外れることを防ぐキャスタ本体構造を提供することにある。
【課題を解決するための手段】
【０００４】
上記課題を解決するために、本考案の第１の形態によれば、本体及び縦軸を備えたキャスタ本体構造であって、前記縦軸の底端には、ストッパ縁が設けられ、前記本体は、一体射出成形され、前記縦軸を介して角座と結合され、前記本体の中心部には、前記縦軸が挿通される縦軸孔が形成され、前記縦軸孔の下端には、収納空間が形成され、前記縦軸孔と前記収納空間とが連通し、前記縦軸が前記本体の前記縦軸孔に挿設されると、前記縦軸の末端に形成された前記ストッパ縁が前記本体の前記収納空間内に位置拘束されることを特徴とするキャスタ本体構造が提供される。
【０００５】
前記縦軸と前記本体とが結合されると、前記縦軸の前記ストッパ縁の上縁面が前記本体の前記縦軸孔の底縁に当接されて前記縦軸が前記本体の前記縦軸孔の底縁により係止され、外れることを防ぐことが好ましい。
【図面の簡単な説明】
【０００６】
【図１】図１は、従来技術の断面図である。
【図２】図２は、本考案の一実施形態に係るキャスタ本体構造を示す斜視図である。
【図３】図３は、本考案の一実施形態に係るキャスタ本体構造を示す分解斜視図である。
【図４】図４は、本考案の一実施形態に係るキャスタ本体構造を示す断面図である。
【図５】図５は、本考案の一実施形態に係るキャスタ本体構造と角座とを結合するときの状態を示す分解斜視図である。
【考案を実施するための形態】
【０００７】
以下、本考案の実施形態について図に基づいて説明する。なお、これによって本考案が限定されるものではない。
【０００８】
図２〜図５を参照する。図２〜図５に示すように、本考案の一実施形態に係るキャスタ本体構造は、少なくとも本体３及び縦軸４から構成される。縦軸４の底端には、ストッパ縁４０が設けられている。本体３は、一体射出成形され、縦軸４を介して角座５と結合される。本体３の中心部には、縦軸４を挿通する縦軸孔３０が形成されている。縦軸孔３０の下端には、収納空間３１が形成され、縦軸孔３０と収納空間３１とが連通する。縦軸４が本体３の縦軸孔３０に挿設されると、縦軸４の末端に形成されたストッパ縁４０が本体３の収納空間３１内に位置し、縦軸４のストッパ縁４０の上縁面４０１が本体３の縦軸孔３０の底縁３２に当接されて縦軸４と本体３とが結合され、縦軸４が縦軸孔３０の底縁３２により係止され、縦軸と本体とが堅固に結合して外れることを防ぐ。
【０００９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１０】
１      本体
２      縦軸
３      本体
４      縦軸
５      角座
１０    縦軸槽
２０    環溝
３０    縦軸孔
３１    収納空間
３２    底縁
４０    ストッパ縁
１０１  環状凸縁
４０１  上縁面
【図１】
0003186924.tif 000003
【図２】
0003186924.tif 000004
【図３】
0003186924.tif 000005
【図４】
0003186924.tif 000006
【図５】
0003186924.tif 000007
(57)【要約】      （修正有）【課題】着物姿を上品且つゴージャスがあるように見せることができる帯用装飾物を提供する。【解決手段】帯用装飾物１は、多数の生花２を組み合わせて上品かつゴージャスな外観を有している。着用者の背面側に生花２が広がるように帯７に取り付けられている。花収容部２３は、取り付け部材に固定され、花を収容する収容空間を備えている。花収容部２３は、帯用装飾物１が着物３あるいは帯７に取り付けられている状態で、上側に開口部を備えている。上記開口部を介して花の茎などが挿入される。【選択図】図４
0003186913.tif 000002
【実用新案登録請求の範囲】
【請求項１】
着物あるいは帯に着脱可能に取り付けられる取り付け部と、
前記取り付け部に固定され、花を収容する収容空間を備えた花収容部と
を有する帯用装飾物。
【請求項２】
前記花収容部は、当該帯用装飾物が前記着物あるいは帯に取り付けられている状態で、上側に開口部を備え、前記収容空間内に前記開口部を介して挿入された前記花の茎等の棒状部を固定するための固定手段を有している
請求項１に記載の帯用装飾物。
【請求項３】
前記取り付け部は、前記着物と帯の間、あるいは重ね合う帯部材と帯部材の間に挿入される板状あるいは棒状をしている
請求項１または請求項２に記載の帯用装飾物。
【請求項４】
前記取り付け部は、前記花収容部が前記着物の着用者の背面側に位置するように前記着物あるいは前記帯に取り付けられる
請求項１〜３のいずれかに記載の帯用装飾物。
【考案の詳細な説明】
【技術分野】
【０００１】
本考案は、帯に着脱可能に取り付けられる帯用装飾物に関するものである。
【背景技術】
【０００２】
結婚式等のパーティでは、華やかな着物が好まれる。
【考案の概要】
【考案が解決しようとする課題】
【０００３】
特に、結婚式の花嫁が着る着物等には、広い会場で多くの人から見られるため、上品且つゴージャスなものにしたいという要望がある。
また、一つの着物を、ゴージャスに見せるときと、そうではないときで使い分けたい要請もある。
【０００４】
本考案はかかる事情に鑑みてなされたものであり、その目的は、着物姿を上品且つゴージャスがあるように見せることができる帯用装飾物を提供することにある。
また、本考案の目的は、一つの着物を、ゴージャスに見せるときと、そうではないときで使い分けることができる帯用装飾物を提供することにある。
【課題を解決するための手段】
【０００５】
本考案に係る帯用装飾物は、着物あるいは帯に着脱可能に取り付けられる取り付け部と、前記取り付け部材に固定され、花を収容する収容空間を備えた花収容部とを有する。
【０００６】
好適には、本考案の帯用装飾物の前記花収容部は、当該帯用装飾物が前記着物あるいは帯に取り付けられている状態で、上側に開口部を備え、前記収容空間内に前記開口部を介して挿入された前記花の茎等の棒状部を固定するための固定手段を有している。
【０００７】
好適には、本考案の帯用装飾物の前記取り付け部は、前記着物と帯の間、あるいは重ね合う帯部材と帯部材の間に挿入される板状あるいは棒状をしている。
好適には、本考案の前記取り付け部は、前記花収容部が前記着物の着用者の背面側に位置するように前記着物あるいは前記帯に取り付けられる。
【考案の効果】
【０００８】
本考案によれば、着物姿を上品且つゴージャスがあるように見せることができる帯用装飾物を提供することができる。
また、本考案によれば、一つの着物を、ゴージャスに見せるときと、そうではないときで使い分けることができる帯用装飾物を提供することができる。
【図面の簡単な説明】
【０００９】
【図１】図１は、本考案の実施形態に係る帯用装飾物を説明するための外観図である。
【図２】図２は、図１に示すお美容装飾物が取り付けられる前の着物の背面図である。
【図３】図３は、図１に示す帯用装飾物の構造を説明するための図である。
【図４】図４は、本考案のその他の実施形態に係る帯用装飾物を説明するための外観図である。
【考案を実施するための形態】
【００１０】
以下、本考案の実施形態に係る帯用装飾物を説明する。
図１は本考案の実施形態に係る帯用装飾物を説明するための外観図、図２は図１に示すお美容装飾物が取り付けられる前の着物の背面図である。
【００１１】
図１に示すように、本実施形態では、図２に示す着用者が着物３を着て帯７を締めた状態で、帯用装飾物１が帯７に取り付けられる。
帯用装飾物１は、多数の生花２を組み合わせて上品かつゴージャスな外観を有している。帯用装飾物１を構成する生花の種類、本数、アレンジの仕方は本実施形態で示すものに限定されない。
また、帯用装飾物１は、着用者の背面側に生花２が広がるように帯７に取り付けられている。
【００１２】
図３は、図１に示す帯用装飾物１の構造を説明するための図である。
図３に帯用装飾物１の一例を説明すう。ただし、本考案の帯用装飾物は、これに限定されるものではない。
図３に示すように、帯用装飾物１は、取り付け部２１と花収容部２３とを有する。
【００１３】
取り付け部２１は、着物３あるいは帯７に着脱可能に取り付けられる。
取り付け部２１は、着物３と帯７の間、あるいは重ね合う帯部材と帯部材の間に挿入される板状あるいは棒状をしている。
取り付け部２１は、花収容部２３が着物３の着用者の背面側に位置するように着物３あるいは帯７に取り付けられる
【００１４】
花収容部２３は、取り付け部材２１に固定され、花を収容する収容空間２３ａを備えている。
花収容部２３は、帯用装飾物１が着物３あるいは帯７に取り付けられている状態で、上側に開口部を備えている。
花収容部２３の収容空間２３ａには、上記開口部を介して花の茎などが挿入される。
また、花収容部２３内には、当該挿入された茎などを固定するための固定用プレート３１が設けられている。
固定用プレート３１には、茎等の棒状部材が挿入される複数の貫通孔３１ａが形成されている。
【００１５】
以上説明したように、本実施形態に係る帯用装飾物１によれば、着用者が着物姿を上品且つゴージャスがあるように見せることができる。特に、結婚披露パーティ等には効果的である。
また、帯用装飾物１によれば、着物３や帯７に着脱可能に取り付けることができるため、ゴージャスな見せ方と、そうではない見せ方の双方の選択できる。
【００１６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１７】
図４は、本考案のその他の実施形態に係る帯用装飾物を説明するための外観図である。図４に示す例では、帯用装飾物１を構成してもよい。
また、生花２の代わりに、全てあるは一部を造花にしてもよい。また、花以外の装飾物を組み合わせてもよい。
また、帯用装飾物１を用いずに、花を直接、帯等に取り付けるようにしてもよい。
【符号の説明】
【００１８】
１…帯用装飾物
２…生花
３…着物
７…帯
２１…取り付け部
２３…花収容部
３１…固定用プレート
【図１】
0003186913.tif 000003
【図２】
0003186913.tif 000004
【図３】
0003186913.tif 000005
【図４】
0003186913.tif 000006
(57)【要約】      （修正有）【課題】保温カップの保温効果を更に長時間維持させることができる真空保温カップ蓋を提供する。【解決手段】空保温カップ蓋１は、その一端面と周囲の側壁が一体成型されて、外側壁１１及び内側壁１２が形成される。外側壁１１と内側壁１２の間には、真空の断熱スペース１３が形成される。内側壁１２の内径には、内ネジ山１４が形成される。内ネジ山１４と、同様に断熱機能を備えたカップ体２の外ネジ山２１を、ネジ作用で組み合わせて保温カップをなすことにより、カップ体２内の水温を更に長時間保つことができる。【選択図】図２
0003186919.tif 000002
【実用新案登録請求の範囲】
【請求項１】
カップ蓋の一端面と周囲の側壁が一体成型して形成される外側壁及び内側壁からなる、真空保温カップ蓋であって、
前記外側壁と前記内側壁の間には、真空の断熱スペースが形成されることを特徴とする、真空保温カップ蓋。
【考案の詳細な説明】
【技術分野】
【０００１】
本考案は、カップ蓋に関し、特に良好な断熱機能を備えた真空保温カップ蓋に関する。
【背景技術】
【０００２】
中空断熱カップは、通称保温カップと呼ばれ、断熱保温、及び手で持つ時に熱過ぎないようにする機能を備えているため、幅広い人々に使用され且つ重宝されている。従来の中空断熱カップの構造は、その多くがステンレス素材から作られて、外壁と、内壁とからなる二重層構造をなすとともに、前記外壁と前記内壁の間が断熱スペースをなす。前記断熱スペースは、製造時に真空排気されて、空気が外壁と内壁の間の熱伝導媒質となることを回避する。従来の中空断熱カップは、良好な断熱効果を備えているため、たとえカップ内に沸騰したお湯を入れたとしても、使用者が手で外壁を持った時に熱さを感じることがない。
【０００３】
従来の中空断熱保温カップのカップ体は、良好な保温効果を備えているものの、前記カップ体と合わせて用いられるカップ蓋は、エネルギー伝導を阻止するための如何なる構造も有していない。よって、カップ体に入れられた物質の水温或いはエネルギーが、カップ蓋に伝導してから発散されやすくなるため、実際には、保温カップの長時間水温を保つ効果が低下する。
【考案の概要】
【考案が解決しようとする課題】
【０００４】
そこで、本考案は、保温カップの保温効果を更に長時間維持させることができる、真空保温カップ蓋を提供することを目的とする。
【課題を解決するための手段】
【０００５】
本考案の真空保温カップ蓋は、真空保温のカップ体と組み合わせて使われるとともに、真空断熱構造を備えることにより、カップ体と組み合わせた後に、更に完全な断熱構造をなすことを特徴とする。これにより、カップ体内に入れられた水のエネルギーが直接カップ体とカップ蓋を伝導しないようにする。以上の構造により、カップ体内のエネルギーの発散を更に遅らせて、更に長時間の保温効果を達成する。
【０００６】
上述に基づき、本考案の真空保温カップ蓋は、その一端面と周囲の側壁が一体成型されて、外側壁及び内側壁が形成される。前記外側壁と前記内側壁の間には、真空の断熱スペースが形成される。前記内側壁の内径には、内ネジ山が形成される。前記内ネジ山と、同様に断熱機能を備えたカップ体の外ネジ山を、ネジ作用で組み合わせて保温カップをなすことにより、更に長時間カップ体内の水温を保つことができる。
【図面の簡単な説明】
【０００７】
【図１】本考案の真空保温カップ蓋の構造形態の実施例を示した平面断面図である。
【図２】本考案の真空保温カップ蓋とカップ体の組み合わせを示した立体分解図である。
【図３】本考案の真空保温カップ蓋とカップ体を組み合わせた後の構造の実施例を示した平面断面図である。
【考案を実施するための形態】
【０００８】
図１を参照する。本考案の真空保温カップ蓋の実施例において、カップ蓋１は、その一端面と周囲の側壁が一体成型されて、外側壁１１及び内側壁１２が形成される。外側壁１１と内側壁１２の間には、断熱スペース１３が形成される。内側壁１２の内径には、内ネジ山１４が形成される。断熱スペース１３は、密閉空間であるとともに、カップ体１が製造される時に完全に空気を抜かれて真空に形成されることにより、外側壁１１と内側壁１２の間にエネルギーを伝導する媒介が存在しなくなる。
【０００９】
図２、図３を参照する。図は、本考案のカップ蓋１と、同様に保温効果を備えたカップ体２の組み合わせを示している。カップ体２は、水・茶或いは飲料等の液体を入れるための容器であるとともに、下方に延伸した深さを持つ内部スペースを備えて、前記内部スペースの上方が開口をなし、前記開口の外径に内ネジ山１４とネジ作用で対応する外ネジ山２１が設けられる。カップ体２は、外側壁２２と内側壁２３を有し、外側壁２２と内側壁２３の間が断熱スペース２４を形成する。加えて、カップ体２の外側壁２２と内側壁２３は、一体成型によって引き伸ばされて製造される。外側壁２２と内側壁２３の間には、距離が保たれて断熱スペース２４が形成される。断熱スペース２４は、更にその内部の空気が完全に抜かれて真空に形成される。断熱スペース２４内が空気媒質のない真空状態であることにより、カップ体２の内部スペースに入れられた液体の温度が散逸することを回避できる。
【００１０】
前述のカップ蓋１とカップ体２の構造に基づき、カップ体２に水・茶或いは飲料等の液体を入れた後、直接カップ蓋１の内ネジ山１４とカップ体２の外ネジ山２１を螺合することにより、カップ体２内のエネルギーがカップ体２とカップ蓋１を伝導して放熱されることを回避できる。これにより、長時間の保温効果が達成される。
【符号の説明】
【００１１】
１            カップ蓋
１１   外側壁
１２   内側壁
１３   断熱スペース
１４   内ネジ山
２            カップ体
２１   外ネジ山
２２   外側壁
２３   内側壁
２４   断熱スペース
【図１】
0003186919.tif 000003
【図２】
0003186919.tif 000004
【図３】
0003186919.tif 000005
(57)【要約】      （修正有）【課題】海岸などで採集した貝殻において、擦れてキズが有ったり、形が欠けていたり、あるいは水槽の中で使う内に古びたりした貝殻など、そのままでは商品価値が低く、捨てられるようなものの商品価値を向上して資源の有効利用を図った装飾品を提供する。【解決手段】貝殻１などの表面に着色することによって、見栄えを向上する。詳しくは、金色または銀色の塗料で塗装を行って、キズ、欠け及び汚れ、並びに自然の穴や模様を隠すように或いは目立たないようにしたものである。【選択図】図１
0003186370.tif 000002
【実用新案登録請求の範囲】
【請求項１】
貝類、甲殻類及び棘皮動物の殻の表面に存在する、キズ、欠け及び汚れ並びに自然な穴及び模様を隠すように或いは目立たないように着色したことを特徴とする装飾品。
【請求項２】
請求項１に示した装飾品で、単色で着色したことを特徴とする装飾品。
【請求項３】
請求項２に示した装飾品で、金色又は銀色の単色で着色したことを特徴とする装飾品。
【請求項４】
請求項１に示した装飾品で、多色で着色したことを特徴とする装飾品。
【考案の詳細な説明】
【技術分野】
【０００１】
本考案は、貝類、甲殻類及び棘皮動物の殻に着色した装飾品に関する。
【背景技術】
【０００２】
採集者が海に潜って、標本用として採集した貝類、甲殻類及び棘皮動物の殻で、一部が欠けていたり、色が悪かったりして標本としては使えないものがある。
【０００３】
また、海岸に打ち上がって採集できる貝殻などは、通常は擦れたり、一部が欠けていたりして標本や装飾品としての価値が低いまま、うち捨てられている。
【０００４】
また、魚類飼育用水槽の中に長い時間置かれていた貝殻は古びて傷んでくる。庭先に放置してあったような場合も貝殻の表面が風化してくる。
【考案の概要】
【考案が解決しようとする課題】
【０００５】
海岸などで採集したが擦れてキズが有ったり、形が欠けていたり、あるいは水槽の中で使う内に古びたりした貝殻など、そのままでは商品価値が低く、うち捨てられるようなものの商品価値を向上して資源の有効利用を図ることが課題である。
【課題を解決するための手段】
【０００６】
本考案は、貝類、甲殻類及び棘皮動物の殻のキズ、欠け、汚れ並びに自然な穴及び模様を隠すように或いは目立たないように、着色したことを特徴とする装飾品である。
【考案の効果】
【０００７】
本考案によれば、貝殻などをキャンパスのように使って絵や模様を描き、貝殻を超えたイメージを創出するのではなく、単純な塗装によって、貝殻などが本来的に持っている形の美しさだけを、引き出すことができる。
【０００８】
キズ、欠け、汚れのために見た目に悪く、したがって商品価値が低いとされていた貝殻などの商品価値を向上して資源の有効利用を図ることができる。
【先行技術文献】
【特許文献】
【０００９】
【特許文献１】実開平６−６８８９
【図面の簡単な説明】
【００１０】
【図１】巻貝の貝殻を示す図
【考案を実施するための形態】
【００１１】
以下実施例によって、最良の実施形態について説明する。
【実施例１】
【００１２】
図１（ａ）は着色をしていない巻貝の貝殻の図である。図１（ｂ）は同種の貝殻に、単色で着色を行った後の図である。
【００１３】
図１（ａ）に示すように、普通の貝殻１の表面にありがちな目障りな細かい穴２が有り、また採集や運搬あるいは使用の途中でついた汚れ３、引っ掻いたキズ４や小さな欠け５が存在し、また古びてくすんだ色になっており、商品価値が低い。
【００１４】
通常のスプレー塗装法で金色または銀色の単色ラッカーを貝殻の全面に塗装した結果、図１（ｂ）に示すように、塗装によって表面に存在する穴、キズ、汚れなどは隠されて、表面に美しい光沢を見せており、塗装する以前より、人目を惹きやすく、商品価値が上がっている。欠けは、塗装によっては、目立たなくなり、その生々しさが消えるが、必ずしも完全に隠されるとは限らない。いずれにせよ、欠けが、全体の美観を損ねるほどではないことが多い。
また、自然の穴についても、塗装により完全に隠されるとは限らないが、全体の美観からは問題にならないことも多い。
【００１５】
とくに、塗装色として金色あるいは銀色を選んであるので、金属色と生物との取り合わせが見る者に意外感を与えて強く人目を惹きやすい。
【００１６】
この例では着色の方法としてラッカーによる塗装を使ったが、それに限らず、例えば無電解金メッキを使って着色の効果を出しても良い。また、金色、銀色に限定されずいろいろな色に着色することも良いし、単色でなく、多色で塗装することも含まれる。
【符号の説明】
【００１７】
１    貝殻
２    穴
３    汚れ
４    キズ
５    欠け
【図１】
0003186370.tif 000003
(57)【要約】      （修正有）【課題】簡易な構造で、小さく携帯に適した携帯情報端末の保持具を提供する。【解決手段】伸縮する素材で作られた帯状体１の両端に、携帯情報端末の対角する隅部に係止する係止部２，２を設けて、この考案の携帯情報端末の保持具を構成する。伸縮する素材としては、シリコーン樹脂やゴムが代表的である。係止部の構造は、携帯情報端末の隅部に係止する係止用の穴又は袋状部が設けられる。【選択図】図２
0003186368.tif 000002
【実用新案登録請求の範囲】
【請求項１】
伸縮する素材で作られた帯状体の両端に、携帯情報端末の対角する隅部に係止する係止部を設けた、携帯情報端末の保持具
【請求項２】
係止部は穴とした、請求項１記載の携帯情報端末の保持具
【請求項３】
係止部は袋状部とした、請求項１記載のタブレット端末の保持具
【考案の詳細な説明】
【技術分野】
【０００１】
この発明は、タブレット端末やスマートフォンのように、１枚の平板として構成された携帯情報端末を、片手で安定した状態で保持するための、携帯情報端末の保持具に関するものである。
【背景技術】
【０００２】
この種の保持具としては、携帯情報端末の背面側（モニター面でない側）に、背面に対応する大きさのカバーを取り付け、このカバーに携帯情報端末を保持するためのハンドルを設けたものが提案されている。
【特許文献１】特開２０１１−２５４０４３号公報
【考案の開示】
【考案が解決しようとする課題】
【０００３】
上記提案の発明は、カバーとハンドルとで構成されているために大きくかさばり、携帯に不向きである。
この考案は、簡易な構造で、小さく携帯に適した携帯情報端末の保持具を得ることを課題とするものである。
【課題を解決するための手段】
【０００４】
伸縮する素材で作られた帯状体の両端に、携帯情報端末の対角する隅部に係止する係止部を設けて、この考案の携帯情報端末の保持具を構成する。伸縮する素材としては、シリコーン樹脂やゴムが代表的である。
前記係止部の具体的な構造としては、携帯情報端末の隅部に係止する係止用の穴、スリット又は袋状部が考えられる。
【考案の効果】
【０００５】
この考案の保持具は、帯状体を携帯情報端末の背面に対角線上に配置し、帯状体の両端に設けられた係止部を携帯情報端末の隅部に係止させて固定して使用する。この状態で、携帯情報端末と帯状体との間に掌を差し込むことにより、掌は帯状体によって携帯情報端末の背面に押しつけられる。したがって、片手の掌で携帯情報端末を安定した状態で保持することができる。
【考案を実施するための最良の形態】
【０００６】
以下この考案の実施例を説明する。
【図面の簡単な説明】
【０００７】
【図１】この考案実施例の斜視図
【図２】使用状態の斜視図
【図３】この考案の別の実施例の斜視図
【実施例】
【０００８】
図１において、全長を使用する携帯情報端末（タブレット端末）の対角線の長さとほぼ同一としたシリコーン樹脂製の帯状体１の両端に、携帯情報端端末４の対角線に位置する隅部に係止する穴２を設けて、この考案の保持具を構成してある。
【０００９】
図２に示すように、帯状体１を携帯情報端末４の背面に配置し、両端の穴２を携帯情報端末４の隅部に係止させると、帯状体１は携帯情報端末４の裏面に当接する。そこで、帯状体１と携帯情報端末４との間に掌を挿入すると、掌は帯状体１に押されて携帯情報端末４の背面に押しつけられる。
したがって、片手で携帯情報端末４を安定した状態で保持することができ、反対側の手で携帯情報端末４を操作することができる。
【００１０】
図３は係止部の他の態様を示すものであり、帯状体１の両端に袋状部３を設け、この袋状部３を携帯情報端末４の隅部に係止させるようにしてある。
【産業上の利用可能性】
【００１１】
この考案の保持具は、構成が簡易で小型であり、しかも折り畳みが自在であるから携帯に便利である。そして、この保持具を使用すると片手で携帯情報端末を保持し、他方の手で操作することができるので、電車内など机のない場所でも携帯情報端末を使用することができる。
【符号の説明】
【００１２】
１    帯状体
２    穴
３    袋状部
４    携帯情報端末（タブレット）
【図１】
0003186368.tif 000003
【図３】
0003186368.tif 000004
【図２】
0003186368.tif 000005
(57)【要約】      （修正有）【課題】消臭や抗菌や防カビ、ホルムアルデヒド中和分解機能を持たせた機能性カードを提供する。【解決手段】空気中の水分をクラスター化する機能性材を樹脂に練り込むかまたはコーティングした不織布シート樹脂シートに挟み込みカード化し、そのカードを保持する人の身体及び身体の周辺にカードから発生し浮遊するＯＨラジカルにより各種の悪臭成分を中和分解消臭、各種の菌を抗菌、ウイルス類の不活性化などの機能を発揮する環境・健康カードとなった。【選択図】図１
0003186339.tif 000002
【実用新案登録請求の範囲】
【請求項１】
（イ）空気中の水成分をクラスター化する物質を樹脂類に練り込んだ樹脂シートか、
（ロ）クラスター化物質をバインダーとともに紙類や不織布類にコーティングしたシートを挟み込んだ樹脂シートを
（ハ）各種のカードに加工し、
（ニ）消臭、抗菌、防カビ、ホルムアルデヒド中和分解機能を発揮する機能性カード。
【請求項２】
微弱な放射線や遠赤外線を発生し空気中の水分をクラスター化する物質を含むセラミック材を樹脂に練り込み樹脂シートにした請求項１の機能性カード。
【請求項３】
クラスター化物質を各種接着剤に練り込み、紙類、不織布類、その他繊維類にコーティングしたシートを樹脂に挟み込み、樹脂シートにした請求項１の機能性カード。
【考案の詳細な説明】
【考案の詳細な説明】
【産業上の利用分野】
【０００１】本考案は、空気中の水分をクラスター化する機能性材を樹脂に練り込むかまたはコーティングした不織布シート樹脂シートに挟み込みカード化し、そのカードを保持する人の身体及び身体の周辺にカードから発生し浮遊するＯＨラジカルにより各種の悪臭成分を中和分解消臭、各種の菌を抗菌、ウイルス類の不活性化などの機能を発揮する環境・健康カードとなる。
用途は、幅広く、各種クレジットカード、バンクカード、プリペイドカード、乗車カード類、ハイウエイカード、パチンコカード、買い物カード類、各種会員カード類、身分証明書／ＩＤカード類、ライセンスカード類、その他各種カード類などに使用することができるものである。
【背景技術】
【０００２】従来は、カード類に関し消臭や抗菌や防カビ、ホルムアルデヒド中和分解機能を持たせたものは無く、カードとしての機能だけであった。
【考案が解決しようとする課題】
【０００３】従って本考案が解決しようとする課題は、空気中に含まれる水成分Ｈ２Ｏをクラスターイオンにより、＋Ｈイオンと−ＯＨイオンに分解し活性化させその働きにより消臭や抗菌、ホルムアルデヒドの中和分解など下記の化学式で実施される。
すなわち、
抗菌力          ：ＯＨラジカル＋ＯＨラジカル→抗菌力の高い  Ｈ２Ｏ２
アンモニア      ：ＮＨ３＋６ＯＨラジカル→無臭窒素Ｎ２＋６Ｈ２Ｏ
ホルムアルデヒド：ＨＣＨＯ＋ＯＨラジカル→ＣＯ２＋ＣＨ３ＯＨ
ホルムアルデヒド：ＨＣＨＯ＋Ｈラジカル→ＣＨ３ＯＨ
などの化学反応により、消臭し、抗菌し、ホルムアルデヒドを中和分解させることになる。
これらの作用を実行させるには、クラスターイオン発生セラミックを可能な限り微細化しカードに含まれる含有密度を上げなければならない。
【課題を解決する為の手段】
【０００４】この課題の解決には、微弱放射性物質を含むセラミック剤を焼成と微細粉砕を繰り返し、成分を均等分散化させた粉体を樹脂または不織布シートにまんべんなく分散されなければならない。
その解決には、微弱放射性物質を含むセラミック剤を０．０４ミクロン以上０．８ミクロン以下に粉砕する必要がある。
また、樹脂練り込みの場合は、１０％濃度程度のマスターバッチを作成し、そのマスターバッチを２０％〜３０％樹脂に練り込みカードシートを作成する。
不織布シートにコーティングする場合は、セラミック剤を１５ｇ／ｍ２をコーティングして樹脂シートに挟み込む。
【考案の作用】
【０００５】本考案は、基本的には（イ）〜（ハ）の手段から成り立っている。
（イ）微弱放射性物質を含むセラミック材を微細化して
（ロ）樹脂に混合するかまたは不織布シートにコーティングし樹脂シートに挟み込みカード化して、
（ハ）各カードとして使用する
本考案に於いて使用するレアアース鉱石物質としては、従来から微弱放射線を発生することで知られている物質も含み、何れも広い範囲で使用することが出来る。
その代表的なものを例示すると、レアアース鉱石系の多くの微弱放射線発生物質が対象になる。
微弱放射線発生鉱石では、酸化トリウムなどの微量放射性  鉱物の粉体と常温で遠赤外線を放射するジルコン、ジルコニア、アルミナ、シリカなどを含むセラミックスを混合−粉砕−焼結を繰り返してできたセラミックなどが例示出来る。
【実施例１】
【０００６】微弱放射線発生物質として、酸化トリウムを１６％含むセラミック粉体を焼成と粉砕を、３回繰り返し成分混合を分散化させた粉体を、ミクロン微細化粉砕機で平均０．０６ミクロンまで粉砕し、１０％重量部をＰＥＴ−Ｇ（非結晶ポリエステル）樹脂に混合しマスターバッチを作製し、同樹脂にマスターバッチを２０％重量部で混合し手カード化した。
アンモニア：  ２時間で９８％消臭
トリメチルアミン：２時間で９９％消臭
ホルムアルデヒド：２時間で９２％消臭
カビ菌：４週間発生しない
などの結果を得た。
【図面の簡単な説明】
【０００７】
【図１】カードの平面図
【図２】カードの断面図
【図１】
0003186339.tif 000003
【図２】
0003186339.tif 000004